(57)【要約】    【課題】  遠隔地の商店で対面販売に近い状態で買い物ができる環境を提供する。    【解決手段】  音声通信機能とデータ通信機能とを備える携帯電話機であって、同じ通信相手の携帯電話機とのやりとりにおいて、データ通信モードと音声通信モードとを切替ることができる通信方式切替機能と、決済のために電子マネーデータを用いるための情報が格納されている記録媒体とのインタフェースとを備える。さらに、記録媒体とのインタフェースを介して、記録媒体内の残高データの減算を行う。    【選択図】  図１
2005063248.tif 000002
【特許請求の範囲】
【請求項１】
それぞれ音声通信機能とデータ通信機能とを有する利用者が用いる第１の携帯端末と、商店が用いる第２の携帯端末とを備え、前記両携帯端末のデータ通信機能を用いて、決済に必要なデータを送受信することにより、利用者が遠隔地の商店から商品を購入するための決済を行なう決済システムであって、
前記第１の携帯端末は、前記第２の携帯端末の、音声通信のための電話番号と、データ通信のための送信先アドレスとを記憶する電話番号アドレス記憶手段と、
音声通信を行なう音声通信モードとデータ通信を行なうデータ通信モードとの間を切り替える指示を受け付ける切替指示受付手段と、
前記切替手段において切替の指示を受け付けると、モードを現在のモードから他のモードに切り替えるとともに、前記第２の携帯端末に切替信号を送信し、前記電話番号アドレス記憶手段に記憶されている電話番号またはアドレスを用いて、切り替えた後のモードで前記第２の携帯端末に接続するモード切替手段と、を備え、
前記第２の携帯端末は、
前記第１の携帯端末から前記切替信号を受信すると、自身の通信モードを現在のモードから他のモードに切り替える通信モード切替手段を備えること、
を特徴とする決済システム。
【請求項２】
請求項１記載の決済システムであって、
前記利用者および前記商店それぞれの電子マネーデータを管理する電子マネーデータ発行管理手段と、可搬型記録媒体とをさらに備え、
前記電子マネー発行管理手段は、
前記利用者および前記商店の前記電子マネーデータを、それぞれを特定するＩＤデータとともに管理する電子マネーデータ格納手段と、
前記ＩＤデータとそれぞれの暗証番号とを関連付けて認証データとして格納する認証データ格納手段と、
前記ＩＤデータとともに電子マネーデータを増減させる金額を示すデータとを受け付ける金額受付手段と、
前記ＩＤデータと前記暗証番号との入力を受け付け、受け付けたＩＤデータおよび暗証番号と前記認証データとを用いて認証処理を行なう認証手段と、
前記認証手段における認証が成功した場合、電子マネーデータ格納部の前記金額受付手段において受け付けたＩＤデータに対応する電子マネーデータの金額を、前記受け付けた金額に従って、増加させる電子マネーデータチャージ手段と、
前記金額受付手段において受け付けたＩＤデータに対応する電子マネーデータの金額を、前記受け付けた金額に従って、減少させる電子マネーデータ引き落とし手段と、を備え、
前記可搬型媒体は、前記ＩＤデータを格納し、
前記第１の携帯端末は、
前記可搬型媒体から前記ＩＤデータを取得するＩＤ取得手段とをさらに備え、
前記ＩＤ取得手段において取得したＩＤを、前記データ通信機能を用いて、前記決済に必要なデータとともに送信し、
前記第２の携帯端末は、
第１の携帯電話機から送信された前記ＩＤデータを前記決済に必要なデータから算出された前記利用者が購入しようとする商品の代金に相当する金額とともに前記電子マネー発行管理手段に送信する送信手段をさらに備えること、
を特徴とする決済システム。
【請求項３】
それぞれ音声通信機能とデータ通信機能とを有する利用者が用いる第１の携帯端末と、商店が用いる第２の携帯端末との間で、それぞれの前記データ通信機能を用いて、決済に必要なデータを送受信することにより決済を行い、利用者が遠隔地の商店から商品を購入する商品購入方法であって、
前記データ通信機能を用いて、前記第１の携帯端末と前記第２の携帯端末との間で前記決済に必要なデータを送受信している最中に、前記第１の携帯端末において、利用者から音声通信を行なう音声通信モードとデータ通信を行なうデータ通信モードとの間のモードの切り替えの指示を受け付けると、
モード切替の信号を前記第２の携帯端末に送信し、
予め保持している前記第２の携帯端末の音声通信のための電話番号を用いて前記第２の携帯端末との間に音声通信のための通話路を設定し、
前記音声通信を行なっている最中に、前記第１の携帯端末において利用者からモード切替の指示を受け付けると、
モード切替の信号を前記第２の携帯端末に送信し、
予め保持している前記第２の携帯端末のデータ通信のための接続アドレスにその後に受け付けたデータを送信すること
を特徴とする商品購入方法。
【請求項４】
音声通信機能とデータ通信機能とを有する携帯端末であって、
同一通信相手先の音声通信のための電話番号とデータ通信のためのアドレスとを格納するアクセス先格納部と、
音声通信機能とデータ通信機能との切替を受け付ける切替指示受付部と、
前記切替指示受付部において、音声通信からデータ通信への切替の指示を受け付けると、前記アクセス先格納部に格納されているアドレスに接続し、データ通信から音声通信への切替の指示を受け付けると、前記アクセス先格納部に格納されている電話番号に接続する接続先切替部と、
を備えることを特徴とする携帯端末。
【発明の詳細な説明】
【技術分野】
【０００１】
本発明は、携帯電話機を用い、電子マネーを使って商品を購入する技術に関する。
【背景技術】
【０００２】
最近、インターネットなどを介したオンラインショッピングなど、実際に店舗に行かずに商品を購入するような買い物形態が普及し、決済手段として電子マネーが用いられることが多くなっている。電子マネーは、現金や預金の前払いと引換えに取得した電子的なデータで、このデータにより、通常の貨幣のように商品を購入し、サービスを受けることができる。
【０００３】
電子マネーは、前払いであるため、クレジットカードと異なり、匿名性が高いという特徴がある。さらに、電子マネーは、コンピュータのメモリ上に保持される、または、書き換え可能なメモリを有するＩＣカードなどに金額を示すデータを格納されるため、同じ前払いのプリペイドカードと比べ、きめ細かな限度額の設定が可能である。
【０００４】
このような特徴を有する電子マネーがオンラインショッピングで利用される場合、主として、専用線やインターネットなどのネットワークを介して、顧客と、商店と、銀行と、電子マネー発行者とのパーソナルコンピュータ間で、パーソナルコンピュータなどを用いてデータの送受信が行なわれていたが、最近は、パーソナルコンピュータの代わりに携帯電話を用いる技術がある（例えば、特許文献１）。
【０００５】
特許文献１に開示されている技術は、上記の電子マネーのシステムにおいて用いられていたコンピュータを携帯電話機に置き換えたものである。
【０００６】
【特許文献１】特開２０００−２５９７５５号公報
【発明の開示】
【発明が解決しようとする課題】
【０００７】
携帯電話機は、通話ができること、そして、携帯性が高い点に特徴がある。そして、最近はその普及がめざましく、子供からお年よりまで、コンピュータを保有していない人であっても、携帯電話を保有していることが多い。
【０００８】
特許文献１の技術は、単にコンピュータのような固定された情報処理装置を携帯電話に置き換えただけであり、携帯電話のデータ送信機能のみ使用し、通話機能を有するといった携帯電話の特性が活かされていない。
【０００９】
すなわち、決済時の処理技術の開示であり、例えば、購入する商品の情報や価格交渉など、買い物全体の利便性を向上させる視点はない。ところが、実際の買い物の場面では、通話機能を用い、商店の店員とコミュニケーションをとりながら行ないたいことが往々にしてある。
【００１０】
上記事情を鑑みて、本発明は、限度額のきめ細かい設定が可能な電子マネーを決済手段に用い、遠隔地であっても、店舗で対面で買い物をする状態に近い環境を提供することを目的とする。
【課題を解決するための手段】
【００１１】
上記目的を達成するために、本発明は、データ通信機能と音声通信機能との間の切替が容易であり、かつ、決済に必要なデータを送信できる携帯電話を用いた決済システムを提供する。
【００１２】
具体的には、それぞれ音声通信機能とデータ通信機能とを有する利用者が用いる第１の携帯端末と、商店が用いる第２の携帯端末とを備え、前記両携帯端末のデータ通信機能を用いて、決済に必要なデータを送受信することにより、利用者が遠隔地の商店から商品を購入するための決済を行なう決済システムであって、前記第１の携帯端末は、前記第２の携帯端末の、音声通信のための電話番号と、データ通信のための送信先アドレスとを記憶する電話番号アドレス記憶手段と、音声通信を行なう音声通信モードとデータ通信を行なうデータ通信モードとの間を切り替える指示を受け付ける切替指示受付手段と、前記切替手段において切替の指示を受け付けると、モードを現在のモードから他のモードに切り替えるとともに、前記第２の携帯端末に切替信号を送信し、前記電話番号アドレス記憶手段に記憶されている電話番号またはアドレスを用いて、切り替えた後のモードで前記第２の携帯端末に接続するモード切替手段と、を備え、前記第２の携帯端末は、前記第１の携帯端末から前記切替信号を受信すると、自身の通信モードを現在のモードから他のモードに切り替える通信モード切替手段を備えること、を特徴とする決済システムを提供する。
【発明の効果】
【００１３】
本発明によれば、  限度額のきめ細かい設定が可能な電子マネーを決済手段に用い、店舗が遠隔地であっても、実際に店舗に行った場合に近い環境で買い物をすることができる。
【発明を実施するための最良の形態】
【００１４】
以下、本発明の一実施形態を、図面を参照して説明する。以下、説明を簡単にするために、電子マネーを利用して商品等を購入する者を顧客と呼び、商品等を販売する者を商店と呼び、電子マネーを発行するものを発行者と呼び、購入者、店舗、発行者が決済口座を有する金融機関を銀行と呼ぶ。もちろん、購入者、店舗、発行者の銀行は、異なってもよい。
【００１５】
図１は、本発明における金銭支払いの基本的なシステム構成を示す図である。
【００１６】
本図に示すように、本発明は、音声通信網とデータ通信網とを備える無線通信網（以後、ネットワークと呼ぶ）２００に接続される顧客の携帯電話機１００ａ、１００ｂ、・・・、１００ｎと、ネットワーク２００に接続される商店のシステム５００ａ、５００ｂ、・・・・５００ｎ、発行者のシステム４００、チャージ機器７００と、銀行の決済ネットワーク６００とを備える。ここで、顧客の携帯電話機１００ａ〜１００ｎ、および、商店のシステム５００ａ〜５００ｎの数は限定されない。個別に区別する必要がない場合は、それぞれ、顧客の携帯電話機１００、商店のシステム５００で代表する。
【００１７】
電子マネーの発行者のシステム４００とチャージ機器７００とは専用のネットワークで接続されていてもよい。
【００１８】
また、商店のシステム５００は、商店の携帯電話機５５０と決済端末である商店のパーソナルコンピュータ５６０とを備える。
【００１９】
そして、各顧客は、それぞれ、チャージ機器７００で電子マネーデータをチャージする際に用いるＩＣカードを電子マネーカード８００ａ〜８００ｎとして保有する。電子マネーカード８００ａ〜８００ｎも、個別に区別する必要がない場合は、電子マネーカード８００と呼ぶ。
【００２０】
顧客は、あらかじめ発行者のシステム４００に、電子マネー購入の対価の引き落とし処理を行なう銀行の口座のデータを登録し、発行者のシステム４００に直結したチャージ機器７００で、発行者のシステム４００内のデータベースに、電子マネーカード８００を用いて電子マネーデータをチャージしておく。その後、チャージに用いた電子マネーカード８００を自身の携帯電話機１００に挿入し、無線データ通信網を用いて商店のシステムとデータを送受信し、買い物をする。商店側は、自身の携帯電話機５５０で顧客からのデータを受信し、受信したデータを自身のパーソナルコンピュータ５６０を用いて処理する。商店は、電子マネーデータを処理するにあたり、電子マネー発行者のシステム４００にアクセスし、残高などのデータを取得する。また、電子マネー発行者のシステム４００は、処理後のデータを商店のシステムから取得し、保持しているデータを更新する。
【００２１】
次に、上記の処理を実現するための、顧客の携帯電話機１００、商店の携帯電話機５５０、商店のパーソナルコンピュータ５６０、チャージ機器７００、発行者のシステム４００のそれぞれの構成について、説明する。
【００２２】
本実施形態における携帯電話機１００は、通常の携帯電話機と同様、基本的に、音声による通話を行なう音声通信モードと、パケット通信等でデータの送受信を行なうデータ通信モードとの２種のモードを備える。本実施形態における携帯電話機１００は、音声通信モードによる通話と、データ通信モードによる、買い物データおよび電子マネーによる決済に必要なデータの送受信を行なうものである。また、ＩＣカードである電子マネーカード８００とのインタフェースを備え、挿入された電子マネーカード８００から送信された、電子マネー決済に必要なデータを処理する。
【００２３】
図２は、本実施形態における携帯電話機１００の概観図である。
【００２４】
本図に示すように、携帯電話機１００は、通常の携帯電話機が備えるダイヤルボタン３１、マイク３２、スピーカ３３、パネル表示装置３４、に加え、電子マネーカード８００の挿入口であるＩＣカードインタフェース３５を備えている。
【００２５】
なお、通話機能とデータ送信機能との切替を行なうためのファンクションボタン３６を、ダイヤルボタン３１とは別に備える構成としてもよい。
【００２６】
本実施形態では、この携帯電話機１００を商品購入の際のデータ送信にも用いる。このため、購入商品を選択するためのファンクションボタン３７を、ダイヤルボタン３１とは別に備える構成としてもよい。
【００２７】
図３は、本実施形態における携帯電話機１００の機能ブロック図である。
【００２８】
本図に示すように、携帯電話機１００は、ネットワーク２００とのインタフェースである無線通信インタフェース１０１と、音声通信モードとデータ通信モードとを切り替える通信方式切替部１０３と、音声通信の処理を行なう音声通信部１０４と、データ通信の処理を行なうデータ通信部１０５と、パネル表示装置３４への表示処理を行なう表示処理部１０６と、ダイヤルボタン３１からの入力を受け付けて処理を行なうダイヤル処理部１０７と、ＩＣカードインタフェース３５を介してＩＣカードと送受信するデータの処理を行なうＩＣカード処理部１０８と、ダイヤルボタン３１を介して入力を受け付けたデータおよびＩＣカ―ドインタフェースを介して受け取ったデータを一時的に保持するメモリ１０９と、携帯電話機１００の全体の機能を制御する制御部１１０とを備える。
【００２９】
通信方式切替部１０３は、予め定められたダイヤルボタン３１またはファンクションボタン３６を介して入力を受け付け、ダイヤル処理部１０７から受信したモード切替信号に応じて、音声通信モードとデータ通信モードとの間で、携帯電話機のモードの切り替えを行なう。
【００３０】
ダイヤル処理部１０７は、ダイヤルボタン３１を介して受け付けた利用者の指示と、その時点のモードに応じた制御部１１０からの指示とに従い、各種の信号を生成する。
【００３１】
例えば、モード切り替えを指示するボタンの押下を受け付けると、モードを切り替える切替信号を生成し、通信方式切替部１０３に送出する。
【００３２】
音声通信モード時に、ダイヤルボタン３１の各数字のボタンの押下を受け付けると、ダイヤル処理部１０７は、対応するＰＢ信号を生成し、無線通信インタフェース１０１を介して、ネットワーク２００に送出する。
【００３３】
データ通信モード時に、ダイヤルボタン３１の各ボタンの押下を受け付けると、ダイヤル処理部１０７は、制御部１１０の指示に従って対応する信号を生成し、データ通信部１０５に送出する。
【００３４】
表示処理部１０６は、無線通信インタフェース１０１を介してネットワーク２００から受信した表示信号、および、ダイヤルボタン３１０を介して入力されたデータを、制御部１１０の指示に従って受け取り、パネル表示装置３４に表示させる。
【００３５】
制御部１１０は、ＩＣカードインタフェース３５を介して受信してＩＣカード処理部１０８において処理されたデータ、ダイヤルボタン３１を介して入力を受け付けてダイヤル処理部１０７において処理されたデータ、および、無線通信インタフェース１０１を介して入力されたデータなどを、所定の機能部に送信し、処理させる。
【００３６】
また、制御部１１０は、各機能部で処理されたデータを、表示処理部１０６に送信してパネル表示装置３４に表示させたり、ＩＣカード処理部１０８に送信してＩＣカードインタフェース３５を介して電子マネーカード８００に送出したり、無線通信インタフェース１０１を介してネットワーク２００に送信するなどの処理を行なう。
【００３７】
図７にメモリ１０９に保持されるデータの一例を示す。本図に示すように、メモリ１０９は、ＩＤ番号格納部１０９ａと、接続先アドレス格納部１０９ｂと、接続先電話番号格納部１０９ｃとを備え、本メモリ１０９には、制御部１１０の指示に従って、ＩＣカード処理部１０８、ダイヤル処理部１０７、データ通信部１０６が処理したデータが格納される。
【００３８】
次に、商店の携帯電話機５５０の機能構成を説明する。商店の携帯電話機５１０も、顧客の携帯電話機１００と同様、音声通信モードとデータ通信モードとの２種のモードを備え、音声通信モードによる通話と、データ通信モードによる買い物データおよび電子マネー決済に必要なデータの送受信を行なう。また、顧客の携帯電話機１００から受信したデータを、決済端末の機能を有する商店のパーソナルコンピュータ５６０に送信するためのインタフェースも備える。
【００３９】
なお、商店の携帯電話機５５０の概観は、図示しないが、基本的には顧客の携帯電話機１００と同様に、ダイヤルボタン５１、マイク５２、スピーカ５３、パネル表示装置５４を備える。さらに、携帯電話機５５０は、商店のパーソナルコンピュータとのインタフェースとしてコネクタなどで構成されるＰＣインタフェース５５を備える。
【００４０】
図４は、商店の携帯電話機５５０の機能構成図である。本図に示すように、商店の携帯電話機５５０は、無線通信インタフェース５０１と、通信方式切替部５０３と、音声通信部５０４と、データ通信部５０５と、表示処理部５０６と、ダイヤル処理部５０７と、ＰＣインタフェース処理部５０８と、制御部５１０と、メモリ５０９とを備える。商店の携帯電話機５５０において、顧客の携帯電話機１００と同名の機能部は、基本的に顧客の携帯電話機１００の同名の機能と同様の機能を有する。
【００４１】
通信方式切替部５０３は、信号無線通信インタフェース５０１を介して音声通信モードとデータ通信モードとを切り替える切替信号を受信すると、モードをその時のモードから、他方のモードに切り替える。
【００４２】
ＰＣインタフェース処理部５０８は、制御部５１０の指示に従って、ＰＣインタフェース５５を介して接続される商店のパーソナルコンピュータ５６０とデータの送受信を行なう。
【００４３】
商店の携帯電話機５５０は、データ通信モードで、商店のパーソナルコンピュータ５６０に接続されている場合、パーソナルコンピュータ５６０が、ネットワーク２００を介して、顧客の携帯電話機１００とデータを送受信する際のインタフェースとしての役割を果たす。音声通信モード時は、単独で通話ができる。
【００４４】
次に、商店のパーソナルコンピュータ５６０の機能構成について説明する。
【００４５】
図５は、商店のパーソナルコンピュータ５６０の機能構成図である。本図に示すように、商店のパーソナルコンピュータ５６０は、携帯電話機５５０とのインタフェースである携帯電話インタフェース５６１と、発行者のシステム４００と接続されているネットワークとのインタフェースであるネットワークインタフェース５６３と、携帯電話インタフェース５６１およびネットワークインタフェース５６３を介して送受信するデータの処理を行なうデータ処理部５６２とを備える。また、メモリには、この商店が販売している商品の価格、仕様などが格納されている商品データベース５６５を備える。
【００４６】
次に、発行者のシステム４００の機能構成およびチャージ機器７００の機能構成について説明する。
【００４７】
図６は、発行者のシステム４００およびチャージ機器７００の機能構成図を示す。
【００４８】
本図に示すように、発行者のシステム４００は、商店のパーソナルコンピュータおよび銀行に接続されているネットワークとのインタフェースであるネットワークインタフェース４０１と、チャージ機器７００とのインタフェースであるチャージ機器インタフェース４０２と、ネットワークインタフェース４０１とチャージ機器インタフェース４０２とを介して送受信するデータの処理を行なうデータ処理部４０３とを備える。
【００４９】
データ処理部４０３は、チャージ機器７００または商店のシステム５００からの電子マネーの入出金に関するデータ、および、認証のためのデータを受け付け、受け付けたデータを用いて認証のために暗証番号データベース４２０を確認したり、入出金履歴データベース４３０のデータを更新する。
【００５０】
また、発行者のシステム４００は、メモリに、ＩＤ番号と暗証番号の組を格納し、認証のために用いられる暗証番号データベース４２０と、ＩＤ番号ごとに過去の入出金の履歴を保持する入出金履歴データベース４３０とを備える。
【００５１】
図８に暗証番号データベース４２０が保持するデータの一例を示す。本図に示すように、暗証番号データベース４２０は、顧客や商店など、電子マネーを利用する単位ごとに作成され、その単位ごとに、予め登録された利用者を特定するための暗証番号４２２とＩＤ番号４２１との組が格納されている。データ処理部４０３は、認証の際、送信される暗証番号とＩＤ番号との組のデータを、本データベースのデータと照合することにより、認証を行なう。また、銀行からチャージを要求された金額分の引き落としを行なうために必要なデータ、例えば、顧客または商店の銀行名４２４、口座番号４２５などのデータもここに格納される。なお、このデータベースに顧客や商店の名称などの、顧客や商店ごとのデータ４２３も格納してもよい。
【００５２】
図９に入出金履歴データベース４３０の一例を示す。本図に示すように、入出金履歴データベース４３０は、ＩＤ番号ごとに、ＩＤ番号を格納するＩＤ番号格納部４３１と、入出金日時を記録する日付記録部４３２と、入出金額を記録する入金記録部４３３と出金記録部４３４と、残高を記録する残高記録部４３５とを備える。
【００５３】
なお、本実施形態においては、この残高記録部４３５に記録されている最新の残高が電子マネーデータである。本実施形態において、電子マネーデータをチャージするというのは、この入出金履歴データベース４３０に指示された金額のデータを付加することとなる。また、後述する電子マネーデータによる支払いとは、例えば、顧客から商店への支払いの場合、顧客のＩＤ番号に対応するデータから支払う金額に相当する金額が差し引かれ、その分、商店のＩＤ番号に対応するデータに金額が付加される処理が行なわれることである。
【００５４】
次に、顧客が電子マネーを電子マネーカード８００を用いてチャージする際に用いるチャージ機器７００について説明する。
【００５５】
本実施形態では、上述したように、電子マネーカード８００を携帯電話機１００に挿入し、内部に格納されている決済に必要なデータを、携帯電話のデータ送受信機能を利用して送信することにより、電子マネーを用いた決済を行なうものである。一方、本実施形態では、携帯電話機１００には、電子マネーデータをチャージする構成を持たせていない。すなわち、本実施形態では、電子マネーデータをチャージするには、このチャージ機器７００と電子マネーカード８００とを用いなければならない構成となっている。
【００５６】
図１０は、チャージ機器７００の概観図である。本図に示すように、チャージ機器７００は、ダイヤルボタン４１、画面表示部４２、カード読取部４３を備える。
【００５７】
ダイヤルボタン４１は、チャージ金額の入力や暗証番号の入力等に使用する。また、ネットワークを介して、発行者のシステム４００と通信するための、ネットワークインターフェース部（不図示）を備えている。チャージ機器７００の機能構成は、図６に示すとおりであり、発行者のシステム４００が接続されているネットワークとのインタフェースであるネットワークインタフェース７０１と、ダイヤルボタン４１を介した入力を処理するダイヤル処理部７０２と、画面表示部に表示するデータを処理する表示処理部７０３と、ＩＣカードとのインタフェースであるカードインタフェース７０５と、ＩＣカードとのデータとやりとりされるデータを処理するカード読取処理部７０４と、チャージ機器全体の制御を行なう制御部７１０とを備える。
【００５８】
次に、本実施形態の電子マネーカード８００について説明する。
【００５９】
図１１は、本実施形態における電子マネーカード８００の概観図である。電子マネーカード８００には、メモリを有するＩＣチップ８０が搭載される。このＩＣチップ８０内のメモリには個人情報等を記憶させることも可能である。また、電子マネーカード８００は、残金等を表示する残高表示部８１を備える。この残高表示部８１には文字の印刷、および消去が可能であり、ＩＣチップ８０により動作が制御される。残高表示部８１は例えば、液晶のようなものでも良い。
【００６０】
残高表示部８１を備えることにより、専用の機器がなくても、外部からチャージ金額や残金の確認が可能となる。これは、親が子供に小遣いを与える場合に、現金の代わりにプリペイドカードや電子マネーカードを与えた場合の金額の確認や、機械操作が不得手の人にも便利である。しかし、データ保護に鑑みて、その表示内容が一目ではわからないよう、例えば、光の加減等で見え方が異なるような手段を設けることが望ましい。
【００６１】
図１２は、本実施形態における電子マネーカード８００の機能ブロック図である。ＩＣチップ８０は、携帯電話機１００やチャージ機器７００との接点であり、それらとデータの入出力を行なうインタフェース部２００と、メモリ内のデータの読み出し、書き込みを行なう読出／書込制御部２０１とを備える。また、メモリには、ぞれぞれ、最終残高を示すデータ、個人情報データ、電子マネーカードのＩＤ番号のデータを記憶する、カード残高格納部２０２と個人情報格納部２０３とＩＤ番号格納部２０４とを備えている。
【００６２】
カード残高格納部２０２は、予め定められた回数の利用履歴と現在の最終残高を保持するよう構成してもよい。この場合、利用履歴は、日付および入出金の金額データとからなる。また、カード残高格納部２０２は、残高表示部８１に直結し、メモリ内容が表示されるよう構成されていてもよい。
【００６３】
また、電子マネーカード８００は、この残高表示を液晶のようなもので示す場合に必要となる電池８２を備えても良い。
【００６４】
なお、以上説明した顧客の携帯電話機１００および商店の携帯電話機５５０は、ＣＰＵと、ＲＯＭと、ＲＡＭと、音声処理部と、表示部と、キー入力部と、無線通信部とを備え、予めＲＯＭに格納されたプログラムを実行することにより、上記各機能を実現する。
【００６５】
また、商店のパーソナルコンピュータ５６０、発行者のシステム４００は、中央処理装置、メモリ、無線通信インタフェースなどを備えた、通常の情報処理装置で実現される。同じく、予めメモリに格納されたプログラムを実行することにより、上記各機能を実現する。
【００６６】
次に、チャージ機器７００において、電子マネーカード８００を用いてチャージを行なう場合の処理について説明する。利用者は、予め、発行者に、引き落とし可能な自身の銀行口座を登録し、チャージと同時にその口座からチャージ金額を引き落とす。
【００６７】
図１３は電子マネーカード８００によるチャージ動作例を示すものである。本実施形態においては、顧客の便宜のため、チャージ機器７００は、発行者のシステム４００と地理的に離れた場所に設置され、発行者のシステム４００とは、専用のネットワークまたはインターネットなどのネットワークを介して接続されているものとする。
【００６８】
まず、利用者が電子マネーカード８００をカード読取部４３に挿入したことを受け付けると（ステップ１３０１）、制御部７１０は、カード読取処理部７０４に、電子マネーカード８００からＩＤ番号を読み出させるとともに（ステップ１３０２）、表示処理部７０３に暗証番号の入力を促す画面をチャージ機器７００の画面表示部４２に表示させ、利用者の入力を待つ。
【００６９】
利用者が入力した暗証番号を受け付ける（ステップ１３０３）と、制御部７１０は、ネットワークインタフェース７０１を介して、ＩＤ番号とともに発行者のシステム４００に送信する（ステップ１３０４）。
【００７０】
ＩＤ番号と暗証番号との組をチャージ機器インタフェース４０２を介して受信した発行者のシステム４００のデータ処理部４０３は、ＩＤ番号をキーに暗証番号データベース４２０にアクセスして、受け取った暗証番号が当該ＩＤ番号の暗証番号４２０ｂに合致するか否か判断し（ステップ１３０５、１３０６）、チャージ機器インタフェース４０２を介して、その結果を認証の成功、不成功としてチャージ機器７００に返信する（ステップ１３０７）。
【００７１】
合致せずに認証が不成功とのデータを受信した場合、制御部７１０は、表示処理部７０３に認証不成功を示すデータとともに、暗証番号の入力を促す画面を再度、画面表示部４２に表示させ、利用者の入力を待つ（ステップ１３０８）。
【００７２】
認証成功のデータを受信した場合、制御部７１０は、表示処理部７０３に、チャージ金額の入金を促す画面を画面表示部４２に表示させ、利用者の入力を待つ（ステップ１３０８）。
【００７３】
制御部７１０は、ダイヤルボタン４１を介してダイヤル処理部７０２が金額の入力を受け付ける（ステップ１３０９）と、ステップ１３０２で読み取ったＩＤ番号とともに、受け付けた金額を発行者のシステム４００に送信する（ステップ１３１０）。
【００７４】
発行者のシステム４００のデータ処理部４０３は、ＩＤ番号と金額とを受信すると、ＩＤ番号データベース４２０にアクセスし、ＩＤ番号に対応するデータの暗証番号、銀行名、口座番号を抽出し、受信した金額と、暗証番号と口座番号とを、銀行名から特定される銀行のシステムに、専用のネットワークを通じて送信し、引き落とし処理を依頼する（ステップ１３１２）。
【００７５】
銀行から引き落とし終了の通知を受信すると、データ処理部４０３は、処理の日付とともに引き落としされた金額を示すデータを、利用者の利用履歴データベースに追加するとともに、最終残高を示すデータを更新し、更新後の最終残高を示すデータを、送信元のチャージ機器７００に送信する（ステップ１３１４）。
【００７６】
最終残高を示すデータを受信した制御部７１０は、カード読取処理部７０４にカードインタフェース７０５を介して挿入されている電子マネーカード８００に受信したデータを送信させる。電子マネーカード８００の読出/書込制御部２０１は、インタフェース部２００を介して受信したデータで、カード残高格納部２０２に保持されているデータを更新する（ステップ１３１６）。
【００７７】
なお、電子マネーカード８００の利用者が、チャージ機器に直接入金するよう構成してもよい。この場合は、上記処理において、認証処理、金額入力処理、銀行口座からの引き落とし処理などは不要となる。
【００７８】
なお、上記の処理において、最終残高表示、利用履歴表示、または、チャージのいずれかの選択を受け付ける画面を表示させるよう構成してもよい。
【００７９】
例えば、ＩＤ番号を取得後に、最終残高表示か、または、暗証番号入力かの選択を受け付ける画面を表示させ、最終残高表示の指示を受け付けた場合、チャージ機器７００は、電子マネーカード８００のカード残高格納部２０２にアクセスし、そこから、残高を示すデータを読み取り、画面表示部４２に表示させる。
【００８０】
また、入金金額を入力させる画面を表示する代わりに、利用履歴表示か、または、チャージかの選択を受け付ける画面を表示させ、利用履歴表示の選択の指示を受け付けた場合、チャージ機器７００は、受け付けたＩＤ番号と当該指示とを発行者のシステム４００に送信し、発行者のシステム４００から入金履歴データベース４３０の該当するＩＤ番号のデータを受け取り、表示部に表示させる。
【００８１】
そして、チャージの指示を受け付けた場合、上記ステップ１３０９のように、チャージ金額の入金を促す画面を画面表示部４２に表示させて、利用者の入力を待つ。
【００８２】
次に、電子マネーカード８００を用い、顧客が、携帯電話機１００を用いて、商店の携帯電話機５１０とデータを送受信するとともに、通話を行い、買い物をする際の、本実施形態のシステムの処理手順の一例を以下に説明する。
【００８３】
図１４は、買い物時の処理の手順を説明するための図である。
【００８４】
顧客が電子マネーカード８００を携帯電話機１００のＩＣカードインタフェース１２５に挿入したことを受け付けると（ステップ１４０１）、ＩＣカード読取処理部１０８は、読取/書込処理部２０１を介して電子マネーカード８００からＩＤ番号格納部２０４内のＩＤ番号のデータを受け取る。
【００８５】
制御部１１０は、ＩＣカード読取り処理部１０８が受け取ったＩＤ番号および残高を示すデータをメモリ１０９のＩＤ番号格納部１０９ａに保持し、表示処理部１０６にパネル表示装置３４に接続先である商店のアドレスの入力を促す表示を行なわせ、入力を待つ。
【００８６】
ダイヤルボタン３１を介して、ダイヤル処理部１０７が、接続先のアドレスの入力を受け付けると、制御部１１０は、メモリ１０９の接続先アドレス格納部１０９ｄに格納し、表示処理部１０６にパネル表示装置３４に表示させるとともに、データ通信部１０５に、当該アドレスに送信する商品情報を要求するデータを生成させる（ステップ１４０２）。
【００８７】
制御部１１０は、データ通信部１０５にて生成したデータを、無線通信インタフェース１０１を介して、相手先アドレスに送出する。
【００８８】
顧客の携帯電話機１００から商品情報を要求するデータを受信すると、制御部５１０は、ＰＣインタフェース処理部５０８から商品情報の要求をＰＣインタフェース５５を介してパーソナルコンピュータ５６０に送信する。
【００８９】
商品情報の要求を受信したパーソナルコンピュータ５６０は、折り返し、携帯電話機５５０に商品の情報と購入のための選択を受け付けるためのデータを送信する（ステップ１４０３）。ＰＣインタフェース５５を介してＰＣインタフェース処理部５０８が商品情報および選択のためのデータを受信すると、制御部５１０は、データ通信部５０５に、受け取ったデータに自身の携帯電話機５５０の通話のための電話番号のデータを加え、送信元の携帯電話機１００に送信させる。
【００９０】
無線通信インタフェース部１０１を介して、商品情報、選択のためのデータ、および送信元の携帯電話機５５０の電話番号を受信すると、制御部１１０は、データ処理部１０５に受信したデータを処理させ、電話番号をメモリ１０９の電話番号格納部１０９ｃに保持するとともに、表示処理部１０６に、受信した商品情報および選択を受け付けるためのデータをパネル表示装置３４に表示させ、選択の入力を待つ。
【００９１】
このとき、ダイヤルボタン３１を介して、ダイヤル処理部１０７から、モード切替の指示を受け付けると、制御部１１０は、データ処理部１０６に、音声通信に切り替えるよう指示する切替信号を生成させ、生成した切替信号を無線通信インタフェース１０１を介して相手先の携帯電話機５１０のアドレスに送信させるとともに、通信方式切替部１０３により自身のモードをデータ通信モードから音声通信モードに切り替える（ステップ１４０４）。
【００９２】
データ通信部５０５において、音声通信に切り替える指示である切替信号を受信すると、制御部５１０は、通信方式切替部５０３により、自身のモードを音声通信に切り替える（ステップ１４０５）。
【００９３】
制御部１１０は、無線通信インタフェース１０１を介して、メモリ１０９の電話番号格納部に保持した電話番号との間に通話路を設定し、表示処理部１０６に、通話が可能な状態になったことを通知する画面をパネル表示装置３４に表示させる。
【００９４】
この状態で、顧客は、音声通話により、商品について問い合わせ、商店側からの回答を得たり、店員とコミュニケーションをとることができる。
【００９５】
次に、顧客の携帯電話機１００において、ダイヤルボタン３１を介して、ダイヤル処理部１０５から、モード切替の指示を受け付けると、制御部１１０は、通信方式切替部１０３により、自身のモードを音声通信モードからデータ通信モードに切り替え、データ処理部１０６に、モードの切り替えを指示する切替信号を生成させ、生成した切替信号を相手先の携帯電話機５１０のアドレスに送信させる（ステップ１４０６）。切替信号を受信したデータ通信部５０５は、自身の通信モードを切り替える（ステップ１４０７）。
【００９６】
その後、制御部１１０は、表示処理部１０６に、商品情報および選択を受け付けるための画面データをパネル表示装置３４に表示させる（ステップ１４０８）。
【００９７】
ダイヤルボタン３１を介して、ダイヤル処理部１０５から購入希望商品の選択を意味する商品番号および個数などの購入希望商品のデータの入力を受け付けると、制御部１１０は、データ処理部１０５に、受け付けたデータとメモリ１０９に保持しているＩＤ番号とから、所定のフォーマットの送信データを生成させ、無線通信インタフェース１０１を介して、接続先アドレス格納部１０９ｂに保持した商店の携帯電話機５５０のアドレスに送出する。
【００９８】
商店の携帯電話機５５０の制御部５１０は、受信したデータをデータ通信部５０５に処理させる。
【００９９】
制御部５１０は、データ通信部５０５が受信したデータから抽出したＩＤ番号、および、購入希望商品のデータそれぞれを、ＰＣインタフェース処理部５０８に、ＰＣインタフェース５５から商店のパーソナルコンピュータ５６０に送信させる。
【０１００】
商店のパーソナルコンピュータ５６０のデータ処理部５６２は、受け取ったデータを一時的にメモリに保持し（ステップ１４０９）、その後、ＩＤ番号を、発行者のシステム４００に送信する）。
【０１０１】
受け取った発行者のシステム４００のデータ処理部４０３は、入出金履歴データベース４３０にアクセスし、受信したＩＤ番号に合致するＩＤ番号を有するデータから残高を抽出し（ステップ１４１０）、残高を示すデータを、商店のパーソナルコンピュータ５６０に返信する。
【０１０２】
残高を示すデータを受信した、データ処理部５６２は、一時的にメモリに保持し、上記の処理でメモリに保持した購入希望商品のデータから算出した総額と、受け取った残高とを比較する。
【０１０３】
ここで、残高の方が小さい場合は、データ処理部５６２は、携帯電話機５５０を介して、残高不足を示すデータを、送信元の携帯電話機１００に送信する。
【０１０４】
残高不足を示すデータを受け取ると、制御部１１０は、表示処理部１０６に、パネル表示装置３４にその旨を表示させ、処理を終了する。
【０１０５】
残高との比較の処理において、残高が購入希望商品の総額より大きい場合、商店のパーソナルコンピュータ５６０のデータ処理部５６２は、受け取った購入希望商品のデータと商品データベース５６５に格納されているデータを用い、購入商品明細データを作成し、携帯電話機５５０を介して送信元の携帯電話機１００に送信する（ステップ１４１１）。
【０１０６】
無線通信インタフェース１０１を介して、データ通信部１０５が購入商品明細データを受信すると、制御部１１０は、表示処理部１０６に処理後のデータとともに、ダイヤルボタン３１の予め定められたボタンを介して承認またはキャンセルの指示を促すデータを、パネル表示装置３４に表示させる。
【０１０７】
ダイヤルボタン３１を介してダイヤル処理部１０６が承認の指示を受け付けると、制御部１１０は、データ通信部１０５に、承認を示すデータを生成させ、無線通信インタフェース１０１を介して送信元の商店の携帯電話機５５０に承認のデータを送信する（ステップ１４１２）。
【０１０８】
無線通信インタフェース５０１を介してデータ通信部５０５が承認のデータを受信すると、制御部５１０は、ＰＣインタフェース処理部５０８から、ＰＣインタフェース５５を介して商店のパーソナルコンピュータ５６０に承認のデータを送出する。
【０１０９】
承認の指示を受け取ると、商店のパーソナルコンピュータ５６０のデータ処理部５６２は、受け取った顧客のＩＤ番号と、上記のステップで算出した総額を示すデータと、発行者のシステム４００から予め与えられていた商店自身のＩＤ番号とを、所定のフォーマットで、発行者のシステム４００に送信するとともに、総額分のデータを差し引く金額ＤＯＷＮ要求を生成し、携帯電話機５５０に送出する（ステップ１４１３）。
【０１１０】
発行者のシステム４００のデータ処理部４０３は、受信したデータで入出金履歴データベース４３０を更新する（ステップ１４１４）。すなわち、顧客のデータから購入金額分のデータを差し引き、商店のデータに購入金額分のデータをチャージする。
【０１１１】
金額ＤＯＷＮ要求を受信した携帯電話機５５０の制御部５１０は、データ通信部５０４に無線通信インタフェース５０１を介して、送信元の携帯電話機１００に送信させる。
【０１１２】
金額ＤＯＷＮ要求を受信した携帯電話機１００の制御部１１０は、ＩＣカード読取部１０８に、ＩＣカードインタフェース１２５を介して、電子マネーカード８００に当該要求を通知する。
【０１１３】
金額ＤＯＷＮ要求を受信した電子マネーカード８００の読取/書込み処理部２０１は、カード残高メモリ２０２の残高から、受信した総額分の金額を差し引いた後の金額を示すデータを、新たに、最終残高のデータとして記録する（ステップ１４１５）。
【０１１４】
上記の処理を終えると、読取/書込処理部２０１は、処理終了をＩＣカードインタフェース１２５を介してＩＣカード読取り部１０８に通知し、制御部１１０は、ＩＣカード読取り部１０８が処理終了の通知を受け付けると、表示処理部１０６に、カードの抜き取りが可能な状態となったことを、パネル表示装置３４に表示させ、処理を終了する（ステップ１４１６）。
【０１１５】
一方、ステップ１４１２において、キャンセルの指示を受け付けると、制御部１１０は、データ通信部１０５にキャンセルを示すデータを生成させて、送信元の商店の携帯電話機５５０に送信する。
【０１１６】
キャンセルのデータを受信した携帯電話機５５０は、そのまま商店のパーソナルコンピュータ５６０に送信し、商店のパーソナルコンピュータ５６０のデータ処理部５６２は、総額のデータ、購入希望商品のデータ、携帯電話機１００から送信されたＩＤデータなど、今回の取引にてメモリに保持したデータを全てクリアにし、その旨を携帯電話機５５０を介して携帯電話機１００に通知する。
【０１１７】
全てクリアされた通知を受け取った携帯電話機１００は、処理を終了する。
【０１１８】
なお、商店の電子マネーデータは、いつでも、発行者のシステム４００を介して商店自身の銀行口座に入金することで換金可能である。また、商店も発行者のシステム４００に保持されている自身の電子マネーデータを用いて、同様の手順にて支払いをすることができる。
【０１１９】
また、商品は後日、商店から郵送、あるいは、データの送信などにより送付される。
【０１２０】
上記の処理では、購入希望商品を、携帯電話機１００からデータで送信するよう構成されているが、例えば、音声通信中に、口頭で店員に伝え、店員が商店のパーソナルコンピュータ５６０に直接入力するよう構成してもよい。このようにすれば、携帯電話機での細かい操作を低減することができ、より対面の買い物に近い環境を提供できる。
【０１２１】
本実施形態では、商品を発送する場合を示しているが、例えば、株券の購入や投資等の場合には、物品の発送の代わりに、明細書等のデータを送信しても同様の処理となる。
【０１２２】
さらに、本実施形態では、電子マネーカード８００を使用するとして説明したが、電子マネーカード８００に搭載されているＩＣチップ８０と同等の機能、メモリを搭載している媒体であれば、特に限定されない。この場合は、携帯電話機１００において、電子マネーカード８００を読み取る代わりに、当該媒体を読み取ることとなる。
【０１２３】
以上説明してきたように、本実施形態では、チャージ機器７００を用いることにより、１枚の電子マネーカードに何度も追加のチャージが可能である。このため、プリペイドカードのように、カードを使い捨てるといった無駄がない。
【０１２４】
また、電子マネーデータをチャージする際には、暗証番号などが必要であり、携帯電話機を介して支払いを行なう場合には、暗証番号が不要な構成となっている。このため、例えば、親が子に、本実施形態の電子マネーカードと携帯電話機とを与えることにより、自分で増額できない形で小遣いを与えることができるといった使い方もできるようになる。
【０１２５】
また、本実施形態では、商品選択の際にモード切替の指示を送信することにより、商品データの送受信に用いていた携帯電話の通信モードを、データ通信モードから音声通信モードに切り替えることができる。このため、顧客は、音声通信により、商品についての質問などを、商店の店員とコミュニケーションをとりながら、商品の選択、決定、支払いをすることができる。これにより、顧客は、より対面での買い物に近い環境を得ることができる。
【０１２６】
さらに、電子マネーカードに搭載されたＩＣチップに金額を表示できるため、チャージ金額や残金の確認をするにあたり、専用の機器が不要となる。
【産業上の利用可能性】
【０１２７】
親が子に、電子マネーカードと携帯電話機とを与えることにより、自分で増額できない形で小遣いを与えることができる。また、遠隔地にいながら、対面での買い物に近い環境で買い物をすることができる。
【図面の簡単な説明】
【０１２８】
【図１】図１は、本実施形態の全体のシステム構成を示す図である。
【図２】図２は、本実施形態の顧客の携帯電話機の概観図である。
【図３】図３は、本実施形態の顧客の携帯電話機の機能構成図である。
【図４】図４は、本実施形態の商店の携帯電話機の機能構成図である。
【図５】図５は、本実施形態の商店のパーソナルコンピュータの機能構成図である。
【図６】図６は、本実施形態の発行者のシステムおよびチャージ機器の機能構成図である。
【図７】図７は、本実施形態の顧客の携帯電話機のメモリが保持するデータの一例を説明するための図である。
【図８】図８は、本実施形態の暗証番号データベースの一例を説明するための図である。
【図９】図９は、本実施形態の入出金履歴データベースの一例を説明するための図である。
【図１０】図１０は、本実施形態のチャージ機器の概観図である。
【図１１】図１１は、本実施形態の電子マネーカードの概観図である。
【図１２】図１２は、本実施形態の電子マネーカードの機能ブロック図である。
【図１３】図１３は、本実施形態のチャージ動作例を説明するための処理フローである。
【図１４】図１４は、本実施形態の買い物時の支払処理の手順を説明するための図である。
【符号の説明】
【０１２９】
１００ａ〜１００ｎ：顧客の携帯電話機、２００：ネットワーク、４００：電子マネー発行者のシステム、５００ａ〜５００ｎ：商店のシステム、５５０：商店の携帯電話機、５６０：商店のパーソナルコンピュータ、６００：銀行の決済ネットワーク、７００：チャージ機器、３１・・・ダイヤルボタン、３２・・・マイク、３３・・・スピーカ、３４・・・パネル表示装置、３５・・・ＩＣカードインタフェース、１０１・・・無線通信インタフェース、１０３・・・通信方式切替部、１０４・・・音声通信部、１０５・・・データ通信部、１０６・・・表示処理部、１０７・・・ダイヤル処理部、１０８・・・ＩＣカード処理部、１０９・・・メモリ、１１０・・・制御部、５５０・・・商店の携帯電話機、５１・・・ダイヤルボタン、５２・・・マイク、５３・・・スピーカ、５４・・・パネル表示装置、５５・・・ＰＣインタフェース、５０１・・・無線通信インタフェース、５０３・・・通信方式切替部、５０４・・・音声通信部、５０５・・・データ通信部、５０６・・・表示処理部、５０７・・・ダイヤル処理部、５０８・・・ＰＣインタフェース処理部、５０９・・・メモリ、５１０・・・制御部、５６０・・・商店のパーソナルコンピュータ、５６１・・・携帯電話インタフェース、５６２・・・データ処理部、５６３・・・ネットワークインタフェース、５６５・・・商品データベース
【図１】
2005063248.tif 000003
【図２】
2005063248.tif 000004
【図３】
2005063248.tif 000005
【図４】
2005063248.tif 000006
【図５】
2005063248.tif 000007
【図６】
2005063248.tif 000008
【図７】
2005063248.tif 000009
【図８】
2005063248.tif 000010
【図９】
2005063248.tif 000011
【図１０】
2005063248.tif 000012
【図１１】
2005063248.tif 000013
【図１２】
2005063248.tif 000014
【図１３】
2005063248.tif 000015
【図１４】
2005063248.tif 000016